(57)【要約】      （修正有）【課題】コンテンツの特定区間の再生形態を制限することを可能にしたコンテンツ配信サーバおよびコンテンツ再生端末を提供すること。【解決手段】コンテンツ配信サーバが、コンテンツ鍵と、コンテンツ鍵を用いて暗号化した暗号化コンテンツと、コンテンツの特定区間に対する再生形態の制限を記述した再生制御情報と、をコンテンツ再生端末に対して配信し、コンテンツ再生端末が、再生制御情報を参照し、コンテンツの特定区間が制限を受けない再生形態の場合に暗号化コンテンツを復号し再生行うようにした。これにより、再生制御情報に基づいて、コンテンツの特定区間の再生形態を制限することができる。【選択図】図１
2005160041.tif 000002
【特許請求の範囲】
【請求項１】
コンテンツの区間に対する再生形態の制限を記述した再生制御情報を生成する再生制御情報生成部と、前記コンテンツを暗号化し暗号化コンテンツを生成するためのコンテンツ鍵および前記暗号化コンテンツに対し前記再生制御情報に基づく再生のみを許可することが記載された利用条件を含むライセンス情報を生成するライセンス情報生成部と、前記コンテンツ鍵で前記コンテンツを暗号化した暗号化コンテンツを生成するコンテンツ暗号化部と、前記再生制御情報、前記ライセンス情報、および前記暗号化コンテンツを送信する通信部と、を具備したことを特徴とするコンテンツ配信サーバ。
【請求項２】
前記再生制御情報は、前記区間を特定する記述と、前記区間に対して停止、一時停止、巻き戻し、早送り、スキップ、ジャンプ、および録画の少なくともひとつの再生方法を制限する記述と、からなることを特徴とする請求項１記載のコンテンツ配信サーバ。
【請求項３】
前記再生制御情報は、前記区間を特定する記述と、前記区間を跨ぐ時間スキップもしくは指定時間へのジャンプの少なくとも一方を制限する記述と、からなることを特徴とする請求項１記載のコンテンツ配信サーバ。
【請求項４】
前記再生制御情報は、複数の前記区間の再生順序を設定する記述と、設定された前記再生順序以外の順で前記区間の再生をすることを制限する記述と、からなることを特徴とする請求項１記載のコンテンツ配信サーバ。
【請求項５】
前記再生制御情報は、前記区間を特定する記述と、前記区間に対する制限対象の時刻を示す記述と、前記時刻の場合に前記区間の再生を制限する記述と、からなることを特徴とする請求項１記載のコンテンツ配信サーバ。
【請求項６】
前記再生制御情報には、現在時刻の取得先に関する記述がなされていることを特徴とする請求項５記載のコンテンツ配信サーバ。
【請求項７】
前記再生制御情報は、前記区間を特定する記述と、前記区間に対する制限対象の環境状況を示す記述と、前記環境状況の場合に前記区間の再生を制限する記述と、からなることを特徴とする請求項１記載のコンテンツ配信サーバ。
【請求項８】
前記再生制御情報は、前記区間を特定する記述と、前記区間に対する制限対象の端末に関する情報を示す記述と、前記制限対象の端末に対し前記区間の再生を制限する記述と、からなることを特徴とする請求項１記載のコンテンツ配信サーバ。
【請求項９】
前記再生制御情報は、前記区間を特定する記述と、前記区間に対する制限対象の利用者に関する情報を示す記述と、前記制限対象の利用者に対し前記区間の再生を制限する記述と、からなることを特徴とする請求項１記載のコンテンツ配信サーバ。
【請求項１０】
前記再生制御情報は、ＸＭＬを用いた階層化された構造化記述により記述されていることを特徴とする請求項１記載のコンテンツ配信サーバ。
【請求項１１】
前記再生制御情報および前記ライセンス情報の利用条件には発行者を識別する発行者識別情報が付与され、前記再生制御情報および前記利用条件は、前記発行者識別番号により対応付けられていることを特徴とする請求項１記載のコンテンツ配信サーバ。
【請求項１２】
前記再生制御情報および前記ライセンス情報の利用条件には発行者を識別する発行者識別情報および前記発行者識別情報に対する識別番号が付与され、前記再生制御情報および前記利用条件は、前記発行者識別番号および前記識別番号により対応付けられていることを特徴とする請求項１記載のコンテンツ配信サーバ。
【請求項１３】
暗号化したコンテンツである暗号化コンテンツを復号化するコンテンツ復号部と、前記コンテンツの区間に対する再生形態の制限を記述した再生制御情報を取得し、前記再生制御情報に基づいて復号化の指示を前記コンテンツ復号部にする再生制御情報処理部と、を具備したことを特徴とするコンテンツ再生制御端末。
【請求項１４】
前記コンテンツ復号部は、前記暗号化コンテンツを生成するためのコンテンツ鍵および前記暗号化コンテンツに対し前記再生制御情報に基づく再生のみを許可することが記載された利用条件を含むライセンス情報を取得し、前記再生制御情報に基づいて前記区間を前記暗号化鍵により復号化し再生することを特徴とする請求項１３記載のコンテンツ再生制御端末。
【請求項１５】
コンテンツの操作要求を受け付ける操作部を具備し、前記操作部は前記再生制御情報で制限された操作を受け付けないことを特徴とする請求項１３記載のコンテンツ再生制御端末。
【請求項１６】
前記コンテンツ復号部は、前記再生制御情報で制限された操作を前記操作部から受け付けないことを特徴とする請求項１３記載のコンテンツ再生制御端末。
【請求項１７】
前記操作部は、前記区間において制限されている再生形態に関する操作と、制限されていない再生形態に関する操作とを区別して表示することを特徴とする請求項１３記載のコンテンツ再生制御端末。
【請求項１８】
前記再生制御情報処理部は、前記区間が制限されている再生形態で実行されていた場合に、制限されていない再生形態に変更することを特徴とする請求項１３記載のコンテンツ再生制御端末。
【請求項１９】
前記コンテンツ復号部および前記再生制御情報処理部は、耐タンパ化されたセキュリティモジュールであることを特徴とする請求項１３記載のコンテンツ再生制御端末。
【請求項２０】
コンテンツの区間に対する再生形態の制限を記述した再生制御情報を生成するステップと、前記コンテンツを暗号化し暗号化コンテンツを生成するためのコンテンツ鍵および前記暗号化コンテンツに対し前記再生制御情報に基づく再生のみを許可することが記載された利用条件を含むライセンス情報を生成するステップと、前記コンテンツ鍵で前記コンテンツを暗号化した暗号化コンテンツを生成するステップと、前記再生制御情報、前記ライセンス情報、および前記暗号化コンテンツを送信するステップと、を具備したことを特徴とするコンテンツ配信方法。
【請求項２１】
暗号化したコンテンツである暗号化コンテンツの区間に対する再生形態の制限を記述した再生制御情報を取得するステップと、前記再生制御情報により制限を受けない再生形態の場合に前記区間を復号するステップと、を具備したことを特徴とするコンテンツ再生制御方法。
【請求項２２】
コンピュータに、コンテンツの区間に対する再生形態の制限を記述した再生制御情報を生成するステップと、前記コンテンツを暗号化し暗号化コンテンツを生成するためのコンテンツ鍵および前記暗号化コンテンツに対し前記再生制御情報に基づく再生のみを許可することが記載された利用条件を含むライセンス情報を生成するステップと、前記コンテンツ鍵で前記コンテンツを暗号化した暗号化コンテンツを生成するステップと、前記再生制御情報、前記ライセンス情報、および前記暗号化コンテンツを送信するステップと、を行わせることを特徴とするプログラム。
【請求項２３】
コンピュータに、暗号化したコンテンツである暗号化コンテンツの区間に対する再生形態の制限を記述した再生制御情報を取得するステップと、前記再生制御情報により制限を受けない再生形態の場合に前記区間を復号するステップと、を行わせることを特徴とするプログラム。
【請求項２４】
請求項２２または請求項２３記載のプログラムを記憶した記憶媒体。
【発明の詳細な説明】
【技術分野】
【０００１】
本発明は、放送網やＩＰ網の伝送路を用いてコンテンツを配信するコンテンツ配信サーバおよびコンテンツ配信サーバから配信されたコンテンツの再生を制御するコンテンツ再生制御端末に関する。
【背景技術】
【０００２】
従来のデジタルコンテンツ配信システムとしては、ＤＲＭ（Ｄｉｇｉｔａｌ  Ｒｉｇｈｔｓ  Ｍａｎａｇｅｍｅｎｔ）技術を利用したものがある（特許文献１参照）。ＤＲＭ技術は、配信コンテンツに対して、再生回数、移動、複製などの利用制限を設定することができる。
【０００３】
また、従来のデジタルコンテンツ配信システムとしては、ＴＶ−Ａｎｙｔｉｍｅ  ｆｏｒｕｍで規定されたメタデータを用いたものがある。ＴＶ−Ａｎｙｔｉｍｅ  ｆｏｒｕｍで規定されている方法は、セグメンテーションメタデータにより、コンテンツの特定区間の内容（例えば、ＣＭ、野球の一回表、サッカーの前半戦など）を記述するものである。
【０００４】
近年、ＰＶＲ（Ｐｅｒｓｏｎａｌ  Ｖｉｄｅｏ  Ｒｅｃｏｒｄｅｒ）に搭載されているＨＤＤの大容量化と自動録画機能により、見たい番組を自動的に録画して視聴することが可能となった。しかし、録画視聴では、３０秒スキップや早送り、指定時間へのジャンプなどの特殊再生が自由に行えるため、ＣＭを飛ばして視聴される場合が多く、現状のリアルタイム放送におけるＣＭビジネスモデルが成り立たなくなりつつある。
【０００５】
また、ＩＰ網を経由してダウンロードするコンテンツに放送のようなＣＭビジネスモデルを適用したくとも、再生プレーヤーで自由に特殊再生が行われてしまうため、実現が難しい。しかしながら、これらの課題を解決するにあたって、従来のＤＲＭ技術ではコンテンツの再生回数を制限することはできても、特殊再生等の再生方法を制限する仕組みがない。また、セグメンテーションメタデータによって番組の特定区間をＣＭ区間であると記述することは可能であったが、その区間に対してだけ特殊再生等を制限する仕組みがない。
【特許文献１】特開２００２−３４２５１８号公報
【発明の開示】
【発明が解決しようとする課題】
【０００６】
しかし、上記の従来の技術では、放送事業者側の意図とした再生制御が番組の特定区間毎に制限する仕組みがないという課題を有していた。
【０００７】
本発明は、かかる点に鑑みてなされたものであり、コンテンツの特定区間毎の再生形態を制限することを可能にすることを目的とする。
【課題を解決するための手段】
【０００８】
本発明は、コンテンツ配信サーバが、コンテンツ鍵と、コンテンツ鍵を用いて暗号化した暗号化コンテンツと、コンテンツの特定区間に対する再生形態の制限を記述した再生制御情報と、をコンテンツ再生端末に対して配信し、コンテンツ再生端末が、再生制御情報を参照し、コンテンツの特定区間が制限を受けない再生形態の場合に暗号化コンテンツを復号し再生行うようにした。
【発明の効果】
【０００９】
本発明によれば、再生制御情報に基づいて、コンテンツの特定区間の再生を制限することができる。
【発明を実施するための最良の形態】
【００１０】
本発明の第１の態様にかかるコンテンツ配信サーバは、コンテンツの区間に対する再生形態の制限を記述した再生制御情報を生成する再生制御情報生成部と、前記コンテンツを暗号化し暗号化コンテンツを生成するためのコンテンツ鍵および前記暗号化コンテンツに対し前記再生制御情報に基づく再生のみを許可することが記載された利用条件を含むライセンス情報を生成するライセンス情報生成部と、前記コンテンツ鍵で前記コンテンツを暗号化した暗号化コンテンツを生成するコンテンツ暗号化部と、前記再生制御情報、前記ライセンス情報、および前記暗号化コンテンツを送信する通信部と、を具備した構成を採る。
【００１１】
これにより、再生制御情報に基づいてコンテンツの再生を行うことができるので、コンテンツの区間の再生方法に関する制御を可能にすることができる。また、コンテンツそのものに再生の制限を記述するのではなく、再生制御情報に制限を記述するので、再生制御方法毎に複数のコンテンツを持たなくても良い。
【００１２】
本発明の第２の態様は、第１の態様にかかるコンテンツ配信サーバにおいて、前記再生制御情報は、前記区間を特定する記述と、前記区間に対して停止、一時停止、巻き戻し、早送り、スキップ、ジャンプ、および録画の少なくともひとつの再生方法を制御する記述と、からなる。
【００１３】
これにより、区間に対して停止、一時停止、巻き戻し、早送り、スキップ、ジャンプ、および録画の少なくともひとつの再生方法を禁止することができる。
【００１４】
本発明の第３の態様は、第１の態様にかかるコンテンツ配信サーバにおいて、前記再生制御情報は、前記区間を特定する記述と、前記区間を跨ぐ時間スキップもしくは指定時間へのジャンプの少なくとも一方を制限する記述と、からなる。
【００１５】
これにより、区間を跨ぐ時間スキップもしくは指定時間へのジャンプの少なくとも一方を禁止することができる。
【００１６】
本発明の第４の態様は、第１の態様にかかるコンテンツ配信サーバにおいて、前記再生制御情報は、複数の前記区間の再生順序を設定する記述と、設定された前記再生順序以外の順で前記区間の再生をすることを制限する記述と、からなる。
【００１７】
これにより、区間の再生順序を制御することができる。
【００１８】
本発明の第５の態様は、第１の態様にかかるコンテンツ配信サーバにおいて、前記再生制御情報は、前記区間を特定する記述と、前記区間に対する制限対象の時刻を示す記述と、前記時刻の場合に前記区間の再生を制限する記述と、からなる。
【００１９】
これにより、時刻を用いたコンテンツの再生制御を行うことができる。
【００２０】
本発明の第６の態様は、第５の態様にかかるコンテンツ配信サーバにおいて、前記再生制御情報には、現在時刻の取得先に関する記述がなされている。
【００２１】
これにより、現在時刻の管理を正確にできる。
【００２２】
本発明の第７の態様は、第１の態様にかかるコンテンツ配信サーバにおいて、前記再生制御情報は、前記区間を特定する記述と、前記区間に対する制限対象の環境状況を示す記述と、前記環境状況の場合に前記区間の再生を制限する記述と、からなる。
【００２３】
これにより、環境状況を用いたコンテンツの再生制御を行うことができる。
【００２４】
本発明の第８の態様は、第１の態様にかかるコンテンツ配信サーバにおいて、前記再生制御情報は、前記区間を特定する記述と、前記区間に対する制限対象の端末に関する情報を示す記述と、前記制限対象の端末に対し前記区間の再生を制限する記述と、からなる。
【００２５】
これにより、端末に関する情報を用いたコンテンツの再生制御を行うことができる。
【００２６】
本発明の第９の態様は、第１の態様にかかるコンテンツ配信サーバにおいて、前記再生制御情報は、前記区間を特定する記述と、前記区間に対する制限対象の利用者に関する情報を示す記述と、前記制限対象の利用者に対し前記区間の再生を制限する記述と、からなる。
【００２７】
これにより、利用者に関する情報を用いた、コンテンツの再生制御を行うことができる。
【００２８】
本発明の第１０の態様は、第１の態様にかかるコンテンツ配信サーバにおいて、前記再生制御情報は、ＸＭＬを用いた階層化された構造化記述により記述されている。
【００２９】
これにより、再生制御情報に汎用性を持たせることができる。
【００３０】
本発明の第１１の態様は、第１の態様にかかるコンテンツ配信サーバにおいて、前記再生制御情報および前記ライセンス情報の利用条件には発行者を識別する発行者識別情報が付与され、前記再生制御情報および前記利用条件は、前記発行者識別番号により対応付けられている。
【００３１】
これにより、利用条件に付与された発行者識別情報に一致する発行者識別情報が付与された再生制御情報のみに基づく再生を可能とするようにできる。つまり、指定された発行者識別情報が付与されている再生制御情報に基づく再生のみを許可するようにできる。
【００３２】
本発明の第１２の態様は、第１の態様にかかるコンテンツ配信サーバにおいて、前記再生制御情報および前記ライセンス情報の利用条件には発行者を識別する発行者識別情報および前記発行者識別情報に対する識別番号が付与され、前記再生制御情報および前記利用条件は、前記発行者識別番号および前記識別番号により対応付けられている。
【００３３】
これにより、利用条件に付与された発行者識別情報および識別番号に一致する発行者識別情報および識別番号が付与された再生制御情報のみに基づく再生を可能とするようにできる。この結果、再生制御情報の発行者が複数の再生制御情報を設定することができる。つまり、同一コンテンツに対して複数の再生制御情報を設定することができる。
【００３４】
本発明の第１３の態様にかかるコンテンツ再生制御端末は、暗号化したコンテンツである暗号化コンテンツを復号化するコンテンツ復号部と、前記コンテンツの区間に対する再生形態の制限を記述した再生制御情報を取得し、前記再生制御情報に基づいて復号化の指示を前記コンテンツ復号部にする再生制御情報処理部と、を具備した構成を採る。
【００３５】
これにより、再生制御情報に基づいてコンテンツの再生を行うことができるので、コンテンツの区間の再生方法に関する制御を可能にすることができる。また、コンテンツそのものに再生の制限を記述するのではなく、再生制御情報に制限を記述するので、再生制御方法毎に複数のコンテンツを持たなくても良い。
【００３６】
本発明の第１４の態様は、第１３の態様にかかるコンテンツ再生制御端末において、前記コンテンツ復号部は、前記暗号化コンテンツを生成するためのコンテンツ鍵および前記暗号化コンテンツに対し前記再生制御情報に基づく再生のみを許可することが記載された利用条件を含むライセンス情報を取得し、前記再生制御情報に基づいて前記区間を前記暗号化鍵により復号化し再生する。
【００３７】
これにより、必ず再生制御情報を用いて暗号化コンテンツを再生するようになる。
【００３８】
本発明の第１５の態様は、第１３の態様にかかるコンテンツ再生制御端末において、コンテンツの操作要求を受け付ける操作部を具備し、前記操作部は前記再生制御情報で制限された操作を受け付けない。
【００３９】
これにより、発行者の意図した再生を遵守させることができる。
【００４０】
本発明の第１６の態様は、第１３の態様にかかるコンテンツ再生制御端末において、前記コンテンツ復号部は、前記再生制御情報で制限された操作を前記操作部から受け付けない。
【００４１】
これにより、発行者の意図した再生を遵守させることができる。
【００４２】
本発明の第１７の態様は、第１３の態様にかかるコンテンツ再生制御端末において、前記操作部は、前記区間において制限されている再生形態に関する操作と、制限されていない再生形態に関する操作とを区別して表示する。
【００４３】
これにより、ユーザは現在制限されている操作と制限されてない操作を容易に認識することができる。
【００４４】
本発明の第１８の態様は、第１３の態様にかかるコンテンツ再生制御端末において、前記再生制御情報処理部は、前記区間が制限されている再生形態で実行されていた場合に、制限されていない再生形態に変更する。
【００４５】
これにより、ユーザは現在制限されている操作と制限されていない操作を容易に認識することができる。
【００４６】
本発明の第１９の態様は、第１３の態様にかかるコンテンツ再生制御端末において、前記コンテンツ復号部および前記再生制御情報処理部は、耐タンパ化されたセキュリティモジュールである。
【００４７】
これにより、コンテンツ、ライセンス情報、再生制御情報を不正に複製・改竄することを阻止することができる。
【００４８】
本発明の第２０の態様は、コンテンツの区間に対する再生形態の制限を記述した再生制御情報を生成するステップと、前記コンテンツを暗号化し暗号化コンテンツを生成するためのコンテンツ鍵および前記暗号化コンテンツに対し前記再生制御情報に基づく再生のみを許可することが記載された利用条件を含むライセンス情報を生成するステップと、前記コンテンツ鍵で前記コンテンツを暗号化した暗号化コンテンツを生成するステップと、前記再生制御情報、前記ライセンス情報、および前記暗号化コンテンツを送信するステップと、を具備したことを特徴とするコンテンツ配信方法である。
【００４９】
本発明の第２１の態様は、暗号化したコンテンツである暗号化コンテンツの区間に対する再生形態の制限を記述した再生制御情報を取得するステップと、前記再生制御情報により制限を受けない再生形態の場合に前記区間を復号するステップと、を具備したことを特徴とするコンテンツ再生制御方法である。
【００５０】
本発明の第２２の態様は、コンピュータに、コンテンツの区間に対する再生形態の制限を記述した再生制御情報を生成するステップと、前記コンテンツを暗号化し暗号化コンテンツを生成するためのコンテンツ鍵および前記暗号化コンテンツに対し前記再生制御情報に基づく再生のみを許可することが記載された利用条件を含むライセンス情報を生成するステップと、前記コンテンツ鍵で前記コンテンツを暗号化した暗号化コンテンツを生成するステップと、前記再生制御情報、前記ライセンス情報、および前記暗号化コンテンツを送信するステップと、を行わせることを特徴とするプログラムである。
【００５１】
本発明の第２３の態様は、コンピュータに、暗号化したコンテンツである暗号化コンテンツの区間に対する再生形態の制限を記述した再生制御情報を取得するステップと、前記再生制御情報により制限を受けない再生形態の場合に前記区間を復号するステップと、を行わせることを特徴とするプログラムである。
【００５２】
本発明の第２４の態様は、第２２の態様または第２３の態様のプログラムを記憶した記憶媒体である。
【００５３】
以下、本発明の実施の形態にかかるコンテンツ再生制御システムについて図面を参照して詳細に説明する。
【００５４】
（実施の形態１）
図１は本発明の実施の形態１にかかるコンテンツ再生制御システムの構成を示すブロック図である。図１において、コンテンツ再生制御システムは、暗号化コンテンツとライセンス情報、再生制御情報の送出装置としてのコンテンツ配信サーバ（以下、サーバ）１００と、コンテンツ再生制御端末（以下、端末）１１０とが、放送網やＩＰ網などの伝送路１２０を介して接続された構成を採る。
【００５５】
サーバ１００は、暗号化コンテンツ、ライセンス情報、再生制御情報を生成し、放送網やＩＰ網等の伝送路１２０を通じて端末１１０に送出する装置である。
【００５６】
サーバ１００には、コンテンツ暗号化部１０１、ライセンス情報生成部１０２、再生制御情報生成部１０３、通信部１０４、入力部１０５、コンテンツ蓄積部１０６、およびコンテンツ鍵蓄積部１０７を有している。
【００５７】
ただし、実施の形態１におけるサーバ１００は構成の一例であり、ライセンス情報生成部１０２、再生制御情報生成部１０３、コンテンツ蓄積部１０６、コンテンツ鍵蓄積部１０７は各々別のサーバであってもよい。実際には、再生制御情報を、コンテンツ制作業者が制作する場合や、コンテンツ配信業者が制作する場合や、再生制御情報のみを制作する業者が存在する場合などのパターンが考えられる。このため、それぞれの場合に合わせて再生制御情報生成部１０３が存在するサーバも異なってくる。
【００５８】
再生制御情報生成部１０３は、コンテンツ蓄積部１０６に蓄積されたコンテンツの制御情報、つまりコンテンツの再生形態を制限する情報を入力部１０５から入力する。また、再生制御情報生成部１０３は、コンテンツ蓄積部１０６に蓄積されたコンテンツを入力し、コンテンツの区間情報を解析する。そして、再生制御情報生成部１０３は、解析した区間情報と、入力部１０５から入力された制御情報を対応付けて、コンテンツの再生方法を制御するための再生制御情報を生成する。
【００５９】
なお、再生制御情報の詳細については、後述する。
【００６０】
ライセンス情報生成部１０２は、コンテンツ鍵蓄積部１０７に蓄積された、コンテンツを暗号化するためのコンテンツ鍵と、再生制御情報に基づく再生のみを許可するためのコンテンツ鍵の利用条件と、を含むライセンス情報を生成する。
【００６１】
コンテンツ暗号化部１０１は、ライセンス情報生成部１０２にて生成されたライセンス情報に含まれるコンテンツ鍵を用いてコンテンツを暗号化し、通信部１０４に送る。
【００６２】
通信部１０４は、端末１１０とデータの送受信を行う手段であり、放送網やＩＰ網などの伝送路１２０を通じて暗号化コンテンツを端末１１０に送信する。
【００６３】
なお、ライセンス情報生成部が生成したライセンス情報を、通信部１０４を介して端末１１０に送信する方式は、限定受信方式や公開鍵暗号基盤等であってもよい。
【００６４】
端末１１０は、放送網やＩＰ網の伝送路１２０を通じて、サーバ１００から、暗号化コンテンツ、ライセンス情報、再生制御情報を受信し、ライセンス情報の利用条件にて再生制御情報による再生が許可されている場合、再生制御情報に基づいてコンテンツを再生する装置である。
【００６５】
端末１１０は、通信部１１１、コンテンツ記録部１１２、ライセンス情報記録部１１３、再生制御情報記録部１１４、コンテンツ復号部１１５、ライセンス情報処理部１１６、再生制御情報処理部１１７、および操作部１１８を有している。
【００６６】
通信部１１１は、放送網やＩＰ網の伝送路１２０を通じて、サーバ１００からデータの受信を行う。
【００６７】
コンテンツ記録部１１２は、通信部１１１が受信、もしくは他の記録媒体から取得した暗号化コンテンツを記録するための記録媒体であり、具体的には、ＨＤＤやＤＶＤ−ＲＡＭ、ＳＤメモリカード、揮発性メモリ、不揮発性メモリ、ＩＣカード等である。これにより、暗号化コンテンツ利用前に予めサーバ１００から暗号化コンテンツを取得しておくことができる他、他の蓄積メディアを経由して暗号化コンテンツを取得することができる。
【００６８】
ライセンス情報記録部１１３は、通信部１１１が受信、もしくは他の記録媒体から取得したライセンス情報を記録するための記録媒体であり、具体的には、ＨＤＤやＤＶＤ−ＲＡＭ、揮発性メモリ、不揮発性メモリ、ＩＣカード、メモリカード等である。これによれば、ライセンス情報利用前に予めサーバ１００からライセンス情報を取得しておくことができる他、他の蓄積メディアを経由してライセンス情報を取得することができる。
【００６９】
再生制御情報記録部１１４は、通信部１１１が受信、もしくは他の記録媒体から取得した再生制御情報を記録するための記録媒体であり、具体的には、ＨＤＤやＤＶＤ−ＲＡＭ、ＳＤメモリカード、揮発性メモリ、不揮発性メモリ、ＩＣカード等である。これによれば、再生制御情報利用前に予めサーバ１００から再生制御情報を取得しておくことができる他、他の蓄積メディアを経由して再生制御情報を取得することができる。
【００７０】
コンテンツ復号部１１５は、コンテンツ記録部１１２に記録されている暗号化コンテンツを、ライセンス情報処理部１１６から渡されるコンテンツ鍵で復号し、出力端末１３０に送出する。
【００７１】
出力端末１３０は、コンテンツを出力する端末であり、画像を表示するモニタや音声を出力するスピーカなどからなる。
【００７２】
また、コンテンツ復号部１１５は、ライセンス情報の利用条件を遵守しなければならない。従って、コンテンツ復号部１１５は、利用条件にて「再生制御情報に基づく再生のみを許可する」ことのみが指定された場合、通常の再生は認められず、再生制御情報に従って再生処理を行う。
【００７３】
ライセンス情報処理部１１６は、ライセンス情報記録部１１３からコンテンツ鍵と利用条件を含むライセンス情報を取得し、利用条件を満たす場合のみコンテンツ復号部１１５にコンテンツ鍵を渡し、暗号化されたコンテンツの復号化を許可する。
【００７４】
ここで、利用条件には、ライセンス情報生成部１０２での説明の通り、従来のＤＲＭで設定可能な条件の他に、「再生制御情報に基づく再生のみを許可する」ことが追記される。また、ライセンス情報は、ＤＲＭ技術によって不正な複製・改竄から保護されている。
【００７５】
再生制御情報処理部１１７は、再生制御情報に基づいて、コンテンツ復号部１１５におけるコンテンツの再生を制御する。具体的には、再生制御情報処理部１１７は、再生制御情報に特定区間のひとつである例えばＣＭ区間のスキップ禁止が設定されている場合、ＣＭコンテンツ再生中に操作部１１８からのスキップ操作が行われても、再生制御情報処理部１１７はこれを拒否するようコンテンツ復号部１１５に指示する。
【００７６】
操作部１１８は、ユーザからのコンテンツ再生操作を受け付ける。具体的には、操作部１１８は、再生、停止、一時停止、巻き戻し、早送り、スキップ、ジャンプ、録画等の操作である。
【００７７】
なお、上記構成において、コンテンツ復号部１１５、ライセンス情報処理部１１６および再生制御情報処理部１１７は、耐タンパ化されたセキュリティモジュールにすることができる。このようにすることにより、コンテンツ、ライセンス情報、再生制御情報を不正に複製・改竄することを阻止することができる。
【００７８】
次に、ライセンス情報について、図２を用いて説明する。図２は、ライセンス情報と再生制御情報、暗号化コンテンツの関係を示すイメージ図である。
【００７９】
図２に示すように、ライセンス情報２００は、コンテンツ暗号化部１０１が暗号化コンテンツ２０３を生成する際に用いたコンテンツ鍵２０１と、利用条件２０２から構成される。
【００８０】
利用条件２０２には、従来のＤＲＭで設定可能な再生回数、移動、複製などの利用制限条件などの他に、再生制御情報生成部１０３が生成した再生制御情報２０４に基づく再生のみを許可する旨の情報が追加されている。
【００８１】
これにより、端末１１０において、利用条件２０２を用いて、再生制御情報２０４に基づく再生が可能となる。また、ライセンス情報は、ＤＲＭ技術によって不正な複製・改竄から保護されている。
【００８２】
また、ライセンス情報の別の形態について図３を用いて説明する。図３は本実施の形態のコンテンツ再生制御システムにおける暗号化コンテンツに対するライセンス情報と再生制御情報に発行者識別情報を付与した場合の関係を示すイメージ図である。
【００８３】
図３に示すように再生制御情報３０３に再生制御情報３０３の発行者を識別するための発行者識別情報３０４を付与し、利用条件３０１にも発行者識別情報３０２を付与している。
【００８４】
このような利用条件３０１を用いたライセンス情報３００を用いることにより、端末１１０に対して、利用条件３０１に付与された発行者識別情報３０２に一致する発行者識別情報３０４が付与された再生制御情報３０３のみに基づく再生を可能とするようにできる。つまり、端末１１０に対して、指定された発行者識別情報３０４が付与されている再生制御情報３０３に基づく再生のみを許可するようにできる。
【００８５】
この結果、再生制御情報３０３の発行者の意図した再生を端末１１０（すなわち、端末のライセンス情報処理部１１６）に遵守させることができる。また、上述した発行者識別情報３０４以外にも、再生制御情報３０３に一意に識別可能な識別子を付与し、端末１１０のライセンス情報処理部１１６に同様な処理を行わせることもできる。
【００８６】
また、ライセンス情報は図４に示す形態であっても良い。図４は本実施の形態のコンテンツ再生制御システムにおける暗号化コンテンツに対するライセンス情報と再生制御情報に発行者識別情報とＩＤ（利用者ＩＤまたは端末ＩＤ等）を付与した場合の関係を示すイメージ図である。
【００８７】
図４に示すように、ライセンス情報４００の利用条件４０１には、指定した発行者識別情報３０２と、ＩＤ４０２が付与されている。また、再生制御情報４０３には、発行者識別情報３０４とＩＤ４０４が付与されている。
【００８８】
これにより、利用条件４０１に、利用する再生制御情報４０３を指定する情報として、発行者識別情報３０４と発行者識別情報３０４毎に付与されたＩＤ４０４を付与できる。よって、端末１１０に対して、利用条件４０１に付与された発行者識別情報３０２およびＩＤ４０２に一致する発行者識別情報３０４およびＩＤ４０４が付与された再生制御情報４０３のみに基づく再生を可能とするようにできる。
【００８９】
このように、ＩＤ４０４を用いることにより、再生制御情報４０３の発行者（発行者識別情報が示す者）が複数の再生制御情報４０３を設定することができる。つまり、同一コンテンツに対して複数の再生制御情報４０３を設定することができる。
【００９０】
次に、再生制御情報生成部１０３が生成する再生制御情報について、詳細に説明する。
【００９１】
再生制御情報は、ＸＭＬ（ｅＸｔｅｎｓｉｂｌｅ  Ｍａｒｋｕｐ  Ｌａｎｇｕａｇｅ）等で記述されている。再生制御情報には、セグメンテーションメタデータによって分割された特定区間に対して、スキップ禁止、早送り禁止、ジャンプなどの特殊再生に対して禁止等の制限情報が設定される。
【００９２】
次に、ＸＭＬで記述された再生制御情報について、説明する。まず、再生制御情報のスキーマについて図５を用いて説明する。図５は上記のような再生制御情報のスキーマ例を示す図である。
【００９３】
再生制御情報のスキーマは、従来のＴＶ−Ａｎｙｔｉｍｅ  Ｆｏｒｕｍで規定されているＳｅｇｍｅｎｔＧｒｏｕｐＩｎｆｏｒｍａｔｉｏｎを、再生制御を記述するＰｌａｙＣｏｎｔｒｏｌスキーマ５００にて拡張し、セグメント（特定区間）毎に再生制御情報を付与できるようにするものである。
【００９４】
ＰｌａｙＣｏｎｔｒｏｌスキーマ５００は、図中５０１に示すように、再生方法として、ｐｌａｙ（再生）、ｓｔｏｐ（停止）、ｐａｕｓｅ（一時停止）、ｆｏｒｗａｒｄ（早送り）、ｒｅｗｉｎｄ（巻き戻し）、ｓｋｉｐ（時間スキップ）、ｊｕｍｐ（指定時間へジャンプ）、ｒｅｃｏｒｄ（録画）、ｃｏｐｙ（コピー）を設定している。さらに、ＰｌａｙＣｏｎｔｒｏｌスキーマ５００は、図中５０２に示すように、５０１で示される再生方法それぞれに、ｔｒｕｅ（許可）／ｆａｌｓｅ（不許可）を設定している。
【００９５】
ただし、このスキーマは一例であり、さらに、再生時刻による制限や特殊再生回数による制限、セグメントの再生順序による制限など様々な設定が考えられる。なお、特殊再生とは、通常の再生（ｐｌａｙ）以外、つまりユーザがセグメントを詳細に見ないような再生方法を言う。
【００９６】
これらの事例としては、禁止されている特殊再生がコンテンツ復号部１１５にて実行されていた場合は、許可されている特殊再生に変更させるといった設定がある。
【００９７】
その他にも、複数のコンテンツもしくは区間の再生順序を設定し、設定された再生順序以外の再生を禁止するとか、特定のコンテンツもしくは区間の再生可能時間帯を設定し、設定された時間帯以外の再生を禁止するといった設定がある。
【００９８】
次に、再生制御情報の具体的な記述について、図６および図７を用いて説明する。図６、図７は、本実施の形態のコンテンツ再生制御システムにおける再生制御情報を記述したメタデータの一例を示す図である。
【００９９】
本実施の形態にかかる再生制御情報６０は、ＸＭＬを用いた階層化された構造化記述により記述されている。これにより、再生制御情報６０に汎用性を持たせることができる。
【０１００】
具体的には、再生制御情報６０には、複数の、コンテンツの区分を示すセグメント６００ａ〜６００ｃが記述されている。
【０１０１】
それぞれのセグメント（特定区間）６００ａ〜６００ｃには、タイトル６０１ａ〜６０１ｃと、説明６０２ａ〜６０２ｃと、セグメントの識別番号であるセグメントＩＤ６０３ａ〜６０３ｃと、用いる映像の識別子である映像ＩＤ６０４ａ〜６０４ｃと、セグメントの開始時間６０５ａ〜６０５ｃと、セグメントの長さ６０６ａ〜６０６ｃが記述されている。
【０１０２】
また、再生制御情報６０には、６０７に示すように、セグメント６００ａ〜６００ｃのまとめ方や再生形態の制限などからなる再生方法が記述されている。
【０１０３】
具体的には、再生方法６０７には、再生方法６０７のタイトル６０８と、再生方法６０７の説明６０９と、再生方法６０７の識別番号６１０と、使う映像の識別子６１５と、使用するセグメントのセグメントリスト６１１と、特定のセグメントに対する制限情報６１２と、が記述されている。
【０１０４】
セグメントリスト６１１には、使用するセグメントのＩＤが再生順に記述されている。これにより、端末１１０に、再生制御情報６０の発行者の意図した再生順でコンテンツの再生をさせることができる。
【０１０５】
また、制限情報６１２には、制御する対象セグメントのＩＤ６１３と、そのセグメントに対する制限（制御）方法６１４ａ〜６１４ｃが記述されている。
【０１０６】
具体的には、６１４ａで示される部分には＜Ｆｏｒｗａｒｄ＞（早送り）の禁止が記述され、６１４ｂで示される部分には＜Ｓｋｉｐ＞（時間スキップ）の禁止が記述され、６１４ｃで示される部分には＜Ｊｕｍｐ＞（指定時間へジャンプ）、つまりこのセグメントを再生せずに飛ばす再生方法の禁止が記述されている。これにより、コンテンツの特定区間（セグメント）を跨ぐ時間スキップ、指定時間へのジャンプが禁止される。具体的には、セグメント６００ｂ（ＣＭ区間）の早送りとスキップ、セグメント６００ｂ（ＣＭ区間）前からセグメント６００ｂ（ＣＭ区間）後へのジャンプが禁止される。
【０１０７】
このように、再生制御情報６０には、複数のセグメント６００ａ〜６００ｃと、これらのセグメント６００ａ〜６００ｃの再生に関する順序や再生の制限情報が記述されている。
【０１０８】
なお、再生制御情報は上記方法以外の記述方法であっても良い。例えば、セグメントのジャンルコードがＣＭの場合は、ｓｋｉｐ禁止などと設定した再生制御情報を作成する。そして、再生制御情報処理部１１７は、再生制御情報を参照してＳｅｇｍｅｎｔ  ＩｎｆｏｒｍａｔｉｏｎのジャンルコードがＣＭであった場合は、コンテンツ復号部１１５にｓｋｉｐを禁止するようにする。さらに、再生制御情報にｓｋｉｐ禁止と明示せずに、再生制御情報に記述したＳｅｇｍｅｎｔ  ＩｎｆｏｒｍａｔｉｏｎのジャンルコードがＣＭであった場合は、必ずｓｋｉｐ禁止とする動作としても良い。
【０１０９】
また、再生制御情報は、階層化されたセグメントを持つコンテンツに対して、制御情報６１２を記述する形態であっても良い。
【０１１０】
次に、図１に示したコンテンツ再生制御システムにおいて、端末１１０がサーバ１００から暗号化コンテンツとそのライセンス情報、再生制御情報を取得するまでの動作について図８に示す処理フローを参照して説明する。
【０１１１】
まず、サーバ１００のライセンス情報生成部１０２が、コンテンツ鍵蓄積部１０７から、再生制御を行いたいコンテンツを暗号化するためのコンテンツ鍵Ｋｃ（以下、Ｋｃ）を抽出する。そして、ライセンス情報生成部１０２は、ＫｃおよびＫｃの利用条件を含むライセンス情報を生成する（ステップＳ１０１（以下、ステップＳを単にＳという））。ここで、ライセンス情報生成部１０２は、利用条件に「暗号化コンテンツは、再生制御情報に基づく再生のみを許可する」ことを記載する。
【０１１２】
次に、ライセンス情報生成部１０２は、通信部１０４を通じて、Ｓ１０１で生成したライセンス情報を端末１１０の通信部１１１に送信する（Ｓ１０２）。ここで、サーバ１００から端末１１０への通信方法としては、放送網を介して送出する方法、ＩＰ網を介してＩＰマルチキャストにて送信する方法、端末１１０からの要求に対してＩＰ網を介して送信する方法などがある。
【０１１３】
これに対して、端末１１０は、通信部１１１において、ライセンス情報を受信し、ライセンス情報記録部１１３に送る。次に、ライセンス情報記録部１１３は、通信部１１１を通じて取得したライセンス情報を記録媒体に記録する（Ｓ１０３）。
【０１１４】
次に、サーバ１００のライセンス情報生成部１０２が、Ｓ１０１にて生成したＫｃをコンテンツ暗号化部１０１に渡す（Ｓ１０４）。次に、コンテンツ暗号化部１０１は、コンテンツ蓄積部１０６からコンテンツを取得し、取得したコンテンツを、Ｓ１０４にて取得したＫｃで暗号化する（Ｓ１０５）。
【０１１５】
次に、コンテンツ暗号化部１０１は、Ｓ１０５にて暗号化したコンテンツ（暗号化コンテンツ）を、通信部１０４を通じて端末１１０の通信部１１１に送信する。ここで、サーバ１００から端末１１０への通信方法としては、放送網を介して送出する方法、ＩＰ網を介してＩＰマルチキャストにて送信する方法、端末１１０からの要求に対してＩＰ網を介して送信する方法などがある（Ｓ１０６）。
【０１１６】
これに対して、端末１１０は、通信部１１１において、暗号化コンテンツを受信し、コンテンツ記録部１１２に送る。次に、コンテンツ記録部１１２は、通信部１１１を通じて取得した暗号化コンテンツを暗号化したまま記録媒体に記録する（Ｓ１０７）。
【０１１７】
次に、サーバ１００の再生制御情報生成部１０３が、Ｓ１０５にて暗号化した暗号化コンテンツに対応する再生制御情報を生成する（Ｓ１０８）。
【０１１８】
そして、再生制御情報生成部１０３は、通信部１０４を通じて端末１１０の通信部１１１に再生制御情報を送信する（Ｓ１０９）。ここで、サーバ１００から端末１１０への通信方法としては、放送網を介して送出する方法、ＩＰ網を介してＩＰマルチキャストにて送信する方法、端末１１０からの要求に対してＩＰ網を介して送信する方法がある。
【０１１９】
これに対して、端末１１０は、通信部１１１において、再生制御情報を受信し、再生制御情報記録部１１４に送る。次に、再生制御情報記録部１１４は、通信部１１１を通じて取得した再生制御情報を記録媒体に記録する（Ｓ１１０）。
【０１２０】
以上の処理フローにより、端末１１０は、コンテンツ記録部１１２に暗号化コンテンツを、ライセンス情報記録部１１３に暗号化コンテンツを復号するためのＫｃとその利用条件を記載したコンテンツ情報を、再生制御情報記録部１１４に再生制御情報を記録する。
【０１２１】
なお、上述の処理フローにおいて、端末１１０は、ライセンス情報、暗号化コンテンツ、再生制御情報の順番で取得しているが、これらの取得は順不同である。
【０１２２】
さらに、端末１１０が、ライセンス情報や再生制御情報を取得するタイミングは、コンテンツ取得時に同時に取得する場合、コンテンツ再生時に取得する場合、定期的に予めまとめて取得しておく場合など、様々なパターンがある。
【０１２３】
次に、端末１１０がライセンス情報に従って暗号化コンテンツを復号化するまでの動作について、図９に示す処理フローを参照して説明する。
【０１２４】
ユーザが操作部１１８にコンテンツの再生を要求すると、これに対して、操作部１１８が再生要求を入力する（Ｓ２０１）。次に、操作部１１８は、コンテンツ復号部１１５に、コンテンツ再生を要求する（Ｓ２０２）。
【０１２５】
次に、コンテンツ復号部１１５は、ライセンス情報処理部１１６にコンテンツに対応するライセンス情報（Ｋｃと利用条件）を要求する（Ｓ２０３）。
【０１２６】
これに対して、ライセンス情報処理部１１６は、ライセンス情報記録部１１３からコンテンツに対応するライセンス情報を取得する（Ｓ２０４）。
【０１２７】
次に、ライセンス情報処理部１１６は、コンテンツ復号部１１５にライセンス情報を返す（Ｓ２０５）。ここでライセンス情報処理部１１６が出力するライセンス情報に含まれる利用条件には、「暗号化コンテンツは、再生制御情報に基づく再生のみを許可する」ことが記載されている。このように、利用条件にライセンス情報には、暗号化コンテンツは、再生制御情報に基づく再生のみを許可すると記述することにより、端末１１０は、必ず再生制御情報を用いて暗号化コンテンツを再生するようになる。
【０１２８】
これに対して、コンテンツ復号部１１５は、ライセンス情報を取得する。次に、コンテンツ復号部１１５は、取得したライセンス情報の利用条件に、「暗号化コンテンツは、再生制御情報に基づく再生のみを許可する」が記載されているので、再生制御情報処理部１１７に再生制御情報処理を要求する（Ｓ２０６）。
【０１２９】
これに対して、再生制御情報処理部１１７は、再生制御情報記録部１１４からコンテンツに対応する再生制御情報を取得する（Ｓ２０７）。
【０１３０】
ここで、例えば、図３に示すように、利用条件３０１および再生制御情報３０３のそれぞれに発行者識別情報３０２、３０４が付与されている場合には、再生制御情報処理部１１７は、利用条件に付与されている発行者識別情報３０２と同じ発行者識別情報３０４を持つ再生制御情報３０３を取得する。
【０１３１】
このように、再生制御情報の発行者を示す発行者識別情報３０２、３０４を用いることで、再生制御情報の発行者が発行した再生制御情報のみを用いるようになり、再生制御情報の発行者が意図した通りにコンテンツの再生を制御できる。
【０１３２】
また、例えば、図４に示すように、利用条件４０１および再生制御情報４０３にそれずれ、発行者識別情報３０２、３０４およびＩＤ４０２、４０４が付与されている場合には、再生制御情報処理部１１７は、利用条件に付与されている発行者識別情報３０２およびＩＤ４０２と同じ発行者識別情報３０４およびＩＤ４０４を持つ再生制御情報４０３を取得する。
【０１３３】
これにより、再生制御情報の発行者が複数の再生制御情報を発行したとしても、ＩＤ４０２、４０４を用いることにより、発行者が発行した再生制御情報のどれを使用すればよいか判断することができる。
【０１３４】
そして、再生制御情報処理部１１７は、コンテンツ復号部１１５に再生制御情報によるコンテンツ再生の制御準備の完了通知を返す（Ｓ２０８）。
【０１３５】
次に、コンテンツ復号部１１５は、再生制御情報に対応する暗号化コンテンツをコンテンツ記録部１１２から取得する（Ｓ２０９）。そして、コンテンツ復号部１１５は、Ｋｃにて暗号化コンテンツを復号化し再生する（Ｓ２１０）。
【０１３６】
以上の処理のフローにより、端末１１０は、再生制御情報に基づくコンテンツの再生を開始する。
【０１３７】
次に、図１のコンテンツ再生制御システムにおいて、端末１１０が、図６、図７に示す再生制御情報に基づいた再生を行っている状態で、ＣＭ区間中にスキップ操作が行われた場合についての処理フローを図１０に示す処理フローを参照して説明する。
【０１３８】
ＣＭ区間再生中に、操作部１１８は、ユーザからスキップ要求を受けると（Ｓ３０１）、コンテンツ復号部１１５にスキップ要求を渡す（Ｓ３０２）。
【０１３９】
これに対して、コンテンツ復号部１１５は、再生制御情報処理部１１７にスキップの可否チェックを要求する（Ｓ３０３）。
【０１４０】
これに対して、再生制御情報処理部１１７は、再生制御情報を参照して、再生中のセグメントはスキップ禁止であることを認識し、スキップ不可であることをコンテンツ復号部１１５に返す（Ｓ３０４）。
【０１４１】
具体的には、再生制御情報処理部１１７は、図７に示す再生制御情報６０の制限情報６１２を参照する。次に、再生制御情報処理部１１７は、制限情報６１２のＩＤ６１３を参照し、制限対象のセグメントを認識する。この場合は、ＩＤ６１３には、ＣＭに関するセグメント６００ｂのＩＤ６０３ｂが記述されているので、再生制御情報処理部１１７は、ＣＭに関するセグメント６００ｂが再生の制限対象であると認識する。
【０１４２】
次に、再生制御情報処理部１１７は、制限（制御）方法６１４ａ〜６１４ｃを参照し、具体的に、ＣＭに関するセグメント６００ｂにどのような制限が設定されているか認識する。この場合、制限方法６１４ａ〜６１４ｃには、「早送り」、「スキップ」、「ジャンプ」が不可になっているので、再生制御情報処理部１１７は、ＣＭに関するセグメント６００ｂが「スキップ」不可であることを認識する。そして、再生制御情報処理部１１７は、スキップ不可である旨をコンテンツ復号部１１５に返す。
【０１４３】
これに対して、コンテンツ復号部１１５は、Ｓ３０４にてスキップ不可であることを取得したため、Ｓ３０２のスキップ要求には応じずそのまま現在行っている再生方法でコンテンツの再生を続行する（Ｓ３０５）。
【０１４４】
また、この際、既に再生制御情報において禁止されている再生方法、例えばスキップ、早送り中である場合は、コンテンツ復号部１１５は、再生制御情報において許可されている再生方法に戻す処理をする。なお、再生制御情報において、制御の対象となっているセグメントを飛ばすジャンプ処理、スキップ処理がなされたときにも、コンテンツ復号部１１５は、この処理を中止する。
【０１４５】
なお、コンテンツ復号部１１５は、Ｓ３０４でスキップ不可を取得した場合、「スキップ不可」である旨を出力端末１３０に送り、ユーザにその操作が禁止であることを通知しても良い。
【０１４６】
なお、コンテンツ復号部１１５は、スキップ要求を受けた際に、スキップの可否を再生制御情報処理部１１７に操作要求がある毎に問い合わせることなく、再生要求時に再生制御情報処理部から再生制御情報を取得し、コンテンツ復号部１１５内で判断するようにしても良い。
【０１４７】
以上のように、端末１１０は、再生制御情報を用いてコンテンツの再生を行うことにより、再生制御情報に記載された制限方法において禁止された再生方法を受け付けないようにできる。つまり、再生制御情報の発行者（放送事業者）の意図した再生を端末１１０に遵守させることができる。
【０１４８】
なお、本処理フローでは、スキップのみを例としているが、図６、図７の再生制御情報６０に記載されている他の操作（早送り、ジャンプ）についても同様の処理となる。本処理フローにより、再生制御情報に基づいた再生を端末に遵守させることができる。
【０１４９】
以上説明したように、実施の形態１によれば、コンテンツの特定区間の再生方法（形態）に関する制限方法を記載した再生制御情報に基づいてコンテンツの再生を行うので、コンテンツの特定区間の再生方法に関する制御を可能にすることができる。
【０１５０】
また、実施の形態１によれば、コンテンツそのものに再生の制限方法を記述するのではなく、再生制御情報に制限方法を記述するので、再生制御方法毎に複数のコンテンツを持たなくても良い。また、再生制御方法毎に比較的容量の少ない再生制御情報を蓄積すればよいので、端末１１０の記憶手段を小型化できる。
【０１５１】
また、実施の形態１によれば、サーバ１００から端末１１０に、再生制御情報とライセンス情報を別々に送信する形態なので、再生制御情報とライセンス情報を同時に送ることにより、通信が重くなることを防ぐことができる。また、通信網が重い場合には、再生制御情報は通信を用いないで予め送っておくようにし、ライセンス情報のみを通信で送るようにしても良い。さらに、ライセンス情報のみを端末１１０の耐タンパ化されたセキュリティモジュールに格納する形態とすれば、端末の実装コストを低廉にすることができる。
【０１５２】
なお、再生制御情報に電子署名を付与しておくなどの方法により、端末１１０において、再生制御情報の正当性を確認するようにしても良い。これにより、再生制御情報が改竄され、再生制御情報の発行者の意図に反するコンテンツ再生を防ぐことができる。
【０１５３】
なお、再生制御情報により、所定の操作が禁止されている区間を再生中は、ユーザにその操作が禁止されていることがわかるように操作部１１８のＧＵＩを適宜変更してもよい。例えば、早送り禁止区間ではリモコンの早送りボタンの色を変更し、或いは他の禁止されていない操作の色と区別して表示したり、早送りボタンを押下できないようにしたりして、再生制御情報処理手段で禁止した操作を操作部１１８で受け付けないようにするなどが考えられる。さらに、再生画面に早送りできない旨を示す文字や記号をインポーズすることも考えられる。この場合、再生制御情報処理部１１７から操作部１１８に対して、再生区間で禁止されている操作の情報を渡し、操作部１１８はそれを反映して適宜変更することとなる。
【０１５４】
これにより、ユーザは現在許可されている操作と禁止されている操作を容易に認識することができる。
【０１５５】
また、同一コンテンツに対して、プレビュー用のライセンス情報と本視聴用のライセンス情報を別々に用意し、プレビュー用ライセンス情報に対応する再生制御情報には、コンテンツのプレビューのみを再生可能にする記載をしても良い。これにより、正規ライセンス購入者には本視聴用のライセンスを発行しコンテンツの本視聴を可能にし、正規ライセンスの未購入者には、プレビュー用ライセンス情報を発行し、コンテンツのプレビューのみを視聴させるようにしても良い。
【０１５６】
なお、実施の形態１にかかるサーバ１００もしくは端末１１０の動作をプログラムにし記憶媒体に記憶し、汎用のコンピュータがこのプログラムを実行する形態であっても良い。
【０１５７】
（実施の形態２）
本発明の実施の形態２にかかるコンテンツ再生制御システムは、時間帯による再生可否の制御を行うものである。
【０１５８】
図１１は、本発明の実施の形態２にかかるコンテンツ再生制御システムの構成を示すブロック図である。なお、実施の形態１で既に説明した部分と同一の部分には同一の符号を付与し、詳細な説明を省略する。
【０１５９】
実施の形態２にかかるコンテンツ再生制御システムの端末１１１０は、現在時刻管理部１１１２を設けている。現在時刻管理部１１１２は、時計などであり、現在時刻を管理するものである。また、サーバ１１００にも現在時刻管理部１１０１が設けられている。現在時刻管理部１１０１と、現在時刻管理部１１１２の構成は同じである。
【０１６０】
また、サーバ１１００の再生制御情報生成部１１０２は、時刻情報によるコンテンツの再生の制限（制御）方法を記述した再生制御情報を生成する。再生制御情報生成部１１０２は、生成した再生制御情報を通信部１０４、伝送路１２０を介して端末１１１０に送る。
【０１６１】
端末１１１０の再生制御情報処理部１１１１は、再生制御情報生成部１１０２が生成した再生制御情報に基づいて、コンテンツ復号部１１５におけるコンテンツの再生を制御する。
【０１６２】
次に、再生制御情報生成部１１０２が生成する再生制御情報のスキーマについて図１２を用いて説明する。図１２は、実施の形態２にかかる再生制御情報のスキーマ例を示す図である。
【０１６３】
実施の形態２にかかる再生制御情報のスキーマ１２００は、図中１２０１に示すように、時刻によるコンテンツの再生における制限情報を定義している。また、スキーマ１２００は、図中１２０２に示すように、時刻によるコンテンツの再生の制限情報を指定するように定義している。具体的には、スキーマ１２００は、制限対象の開始時刻１２０３と終了時刻１２０４と、制限対象の時刻にどのようにコンテンツの生成を制限するかの制限方法１２０８と、を定義している。
【０１６４】
また、スキーマ１２００は、図中１２０５に示すように何所から時刻情報を取得するか指定するように定義している。具体的には、スキーマ１２００は、図中１２０６に示すように時刻情報を端末１１１０の現在時刻管理部１１１２から取得するか、図中１２０７に示すように時刻情報をサーバ１１００の現在時刻管理部１１０１から取得するか記述するように定義している。
【０１６５】
次に、実施の形態２にかかる再生制御情報の具体的な記述について、図１３を用いて説明する。図１３は、実施の形態２のコンテンツ再生制御システムにおける再生制御情報を記述したメタデータの一例を示す図である。
【０１６６】
具体的には、実施の形態２にかかる再生制御情報１３００は、ひとつのセグメントに対する制限情報を記述している。具体的には、再生制御情報１３００は、セグメントのＩＤ１３０１と、セグメントに使う映像のＩＤ１３０２と、セグメントのタイトル１３０３と、セグメントの説明１３０４と、セグメントの区間情報１３０５と、が記述されている。
【０１６７】
また、再生制御情報１３００には、図中１３０６に示される部分には、セグメントに対する制限情報が記述されている。具体的には、制限情報１３０６には、制限対象の開始時刻１３０７と終了時刻１３０８と、制限対象時刻に対する制限方法（この例では再生不可）１３０９が記述されている。
【０１６８】
また、制限情報１３０６には、何所から現在時刻を取得するかの取得先情報１３１０も記述されている。この場合、取得先情報１３１０は、サーバ１１００の現在時刻管理部１１０１から現在時刻を取得すると記述している。
【０１６９】
このように、サーバ１１００から現在時刻を取得するようにすることにより、現在時刻の管理を正確にできる。また、端末１１１０において、現在時刻管理部１１１２の管理する時刻情報の改竄が行われたとしても、正確にコンテンツの再生を制御できる。
【０１７０】
なお、図１３に示す再生制御情報１３００では、ひとつのセグメントに関する記述しかないが、複数のセグメントに関する記述をし、かつそれぞれのセグメントに対して異なる制限情報を記述しても良い。
【０１７１】
次に、実施の形態２にかかるコンテンツ再生制御システムのコンテンツ再生処理について、図１４の処理フローを参照して説明する。
【０１７２】
ユーザが操作部１１８よりコンテンツ再生要求を入力すると、操作部１１８がコンテンツ復号部１１５にコンテンツの再生要求を送る（Ｓ１４００）。
【０１７３】
これに対して、コンテンツ復号部１１５は、コンテンツを再生してよいか否かの再生可否に関する情報の要求を再生制御情報処理部１１１１に送る（Ｓ１４０１）。
【０１７４】
これに対して、再生制御情報処理部１１１１は、再生制御情報記録部１１４を参照して、再生制御情報を取得する。
【０１７５】
次に、再生制御情報処理部１１１１は、再生制御情報を参照して、どこから現在時刻を取得するか判断する。例えば、図１３に示す再生制御情報の場合は、図中１３１０に示すように、サーバ１１００の現在時刻管理部１１０１から現在情報を取得するような記述になっているので、再生制御情報処理部１１１１は、通信部１１１を介してサーバ１１００に時刻情報取得要求を送る。
【０１７６】
これに対して、サーバ１１００は、通信部１０４を介して現在時刻取得要求を取得し、現在時刻管理部１１０１に送る。そして、現在時刻管理部１１０１が現在時刻取得要求を取得し、現在時刻を、通信部１０４を介して端末１１１０に送る。
【０１７７】
そして、端末１１１０の通信部１１１が送られてきた現在時刻を取得し、再生制御情報処理部１１１１に送り、再生制御情報処理部１１１１が現在時刻を取得する（Ｓ１４０２）。
【０１７８】
なお、再生制御情報に端末１１１０の現在時刻管理部１１１２から現在時刻を取得する旨の記述がある場合は、再生制御情報処理部１１１１は、現在時刻管理部１１１２から現在時刻を取得する（Ｓ１４０２）。
【０１７９】
次に、再生制御情報処理部１１１１は、再生制御情報を参照し、制限対象時刻に関する情報を取得する。図１３の例では、再生制御情報処理部１１１１は、開始時刻１３０７と終了時刻１３０８を取得する。また、再生制御情報処理部１１１１は、再生制御情報を参照し、制限方法に関する情報を取得する。図１３の例では、再生制御情報処理部１１１１は、再生不可の旨が記述された制限方法１３０９を取得する。
【０１８０】
そして、再生制御情報処理部１１１１は、Ｓ１４０２で取得した現在時刻と、再生制御情報に記述された制限対象時刻に関する情報を比較し、これらの時刻が一致する場合には、再生制御情報に記載された制限方法、この場合コンテンツが再生不可である旨をコンテンツ復号部１１５に送る（Ｓ１４０３）。
【０１８１】
これに対して、コンテンツ復号部１１５は、再生不可処理、つまり暗号化コンテンツの復号化を行わない処理をして、処理を終了する（Ｓ１４０４）。
【０１８２】
以上説明したように、実施の形態２によれば、時刻情報を用いた、コンテンツの再生制御を行うことができる。これにより、例えば、ゴールデンタイムには、蓄積コンテンツの再生を抑制することにより、オンエアされているコンテンツを見てもらうようにできる。
【０１８３】
また、実施の形態２によれば、現在時刻をサーバ１１００に問い合わせるように制御できる。これにより、端末１１１０において現在時刻を改竄することによるコンテンツの不正利用を防止できる。
【０１８４】
なお、実施の形態２と実施の形態１を組み合わせ、所定の時刻には、特定再生を不可とするような制御を行っても良い。
【０１８５】
また、再生制御情報に記述された再生禁止時刻帯に操作部１１８からコンテンツの再生要求を受けた場合に、その操作を受け付けないようにしても良い。また、再生禁止時刻帯は、コンテンツの再生ができない旨がわかるように、操作部１１８の再生ボタンなどの色を変えたり、コンテンツが再生不可であることを表示したりしても良い。
【０１８６】
また、コンテンツの再生中に、禁止時刻帯に入った場合は、自動的にコンテンツの再生を停止するようにしても良い。
【０１８７】
なお、再生制限を時刻で説明したが、曜日制限や日付制限で再生不可または再生許可制限を行っても良い。
【０１８８】
（実施の形態３）
本発明の実施の形態３にかかるコンテンツ再生制御システムは、視聴環境による再生可否の制御を行うものである。
【０１８９】
図１５は本発明の実施の形態３にかかるコンテンツ再生制御システムの構成を示すブロック図である。なお、既に説明した部分と同一の部分には同一の符号を付与し、詳細な説明を省略する。
【０１９０】
実施の形態３にかかるコンテンツ再生制御システムの端末１５１０は、照度検出部１５１２を設けている。照度検出部１５１２は、端末１５１０の置かれた環境の照度（ルクス）を検出するものである。
【０１９１】
また、サーバ１５００の再生制御情報生成部１５０２は、照度情報によるコンテンツの再生の制限（制御）情報を記述した再生制御情報を生成する。再生制御情報生成部１５０２は、生成した再生制御情報を通信部１０４、伝送路１２０を介して端末１５１０に送る。
【０１９２】
端末１５１０の再生制御情報処理部１５１１は、再生制御情報生成部１５０２が生成した再生制御情報に基づいて、コンテンツ復号部１１５におけるコンテンツの再生を制御する。
【０１９３】
次に、再生制御情報生成部１５０２が生成する再生制御情報のスキーマについて図１６を用いて説明する。図１６は、実施の形態３にかかる再生制御情報のスキーマ例を示す図である。
【０１９４】
実施の形態３にかかる再生制御情報のスキーマ１６００は、図中１６０１に示すように、照度によるコンテンツの再生の制限情報を定義している。また、スキーマ１６００は、図中１６０２に示すように、照度による制限方法を指定するように定義している。具体的には、スキーマ１６００は、制限対象の照度を示す最小照度１６０４と最大照度１６０５と、最小照度１６０４以上の場合と最大照度１６０５以上の場合にどのようにコンテンツを再生するかの制限方法１６０３と、を定義している。
【０１９５】
次に、実施の形態３にかかる再生制御情報の具体的な記述について、図１７を用いて説明する。図１７は、実施の形態３のコンテンツ再生制御システムにおける再生制御情報を記述したメタデータの一例を示す図である。なお、既に説明した部分と同一の部分には同一の符号を付与し、詳細な説明を省略する。
【０１９６】
実施の形態３にかかる再生制御情報１７００の、図中１７０１に示される部分には、セグメントに対する制限情報が記述されている。具体的には、制限情報１７０１には、制限対象の最小照度１７０２と、最小照度１７０２以上の場合の制限方法（この例では再生可能）１７０３が記述されている。
【０１９７】
なお、図１７に示す再生制御情報１７００では、ひとつのセグメントに関する記述しかないが、複数のセグメントに関する記述をし、かつそれぞれのセグメントに対して異なる制限情報を記述しても良い。
【０１９８】
次に、実施の形態３にかかるコンテンツ再生制御システムのコンテンツ再生処理について、図１８の処理フローを参照して説明する。
【０１９９】
ユーザが操作部１１８よりコンテンツ再生要求を入力すると（Ｓ１８０１）、操作部１１８がコンテンツ復号部１１５にコンテンツの再生要求を送る（Ｓ１８０２）。
【０２００】
これに対して、コンテンツ復号部１１５は、コンテンツを再生してよいか否かの再生可否に関する情報の要求を再生制御情報処理部１５１１に送る（Ｓ１８０３）。
【０２０１】
これに対して、再生制御情報処理部１５１１は、再生制御情報記録部１１４を参照して、再生制御情報を取得する。
【０２０２】
次に、再生制御情報処理部１５１１は、照度検出部１５１２に対して端末１５１０の置かれた環境の照度情報の要求をする（Ｓ１８０４）。そして、これに対して、照度検出部１５１２は、端末１５１０の置かれた環境の照度情報を再生制御情報処理部１５１１に送る（Ｓ１８０５）。
【０２０３】
次に、再生制御情報処理部１５１１は、再生制御情報を参照して、制限対象照度に関する情報を取得する。図１７の例では、再生制御情報処理部１５１１は、最小照度１７０２を取得する。また、再生制御情報処理部１５１１は、再生制御情報を参照し、制限方法に関する情報を取得する。図１７の例では、再生制御情報処理部１５１１は、再生可能の旨が記述された制限方法１７０３を取得する。
【０２０４】
そして、再生制御情報処理部１５１１は、Ｓ１８０５で取得した照度情報が、再生制御情報に記述された制限対象照度に該当するか判断し、該当する場合には、再生制御情報に記載された制限方法、この場合、コンテンツが再生可能である旨をコンテンツ復号部１１５に送る（Ｓ１８０６）。
【０２０５】
これに対して、コンテンツ復号部１１５は、再生処理、つまり暗号化コンテンツを復号化し、出力端末１３０に出力する処理をして、処理を終了する（Ｓ１８０７）。
【０２０６】
以上説明したように、実施の形態３によれば、端末１５１０の置かれた環境の照度情報を用いた、コンテンツの再生制御を行うことができる。これにより、例えば、輝度変化の激しいシーンを含むアニメーション番組を、暗い部屋で見るということを防ぐことができる。
【０２０７】
また、端末１５１０が再生制御情報に記述された再生制御対象照度にある状況で操作部１１８からコンテンツの再生要求を受けた場合に、その操作を受け付けないようにしても良い。また、端末１５１０が再生制御対象照度にある場合は、コンテンツの再生ができない旨がわかるように、操作部１１８の再生ボタンなどの色を変えたり、コンテンツが再生不可であることを表示したりするようにしても良い。再生不可であることを表示後、再度再生要求があった場合は、Ｓ１８０１〜Ｓ１８０７の処理を繰り返すようにしても良い。
【０２０８】
また、コンテンツの再生中に、端末１５１０が再生制御対象照度に入った場合は、自動的に再生を停止するようにしても良い。
【０２０９】
なお、照度以外の環境情報を用いてコンテンツの再生制御するような再生制御情報を生成し、照度以外の環境情報を用いてコンテンツの再生制御を行うようにしても良い。
【０２１０】
（実施の形態４）
本発明の実施の形態４にかかるコンテンツ再生制御システムは、利用者の属性による再生可否の制御を行うものである。
【０２１１】
図１９は、本発明の実施の形態４にかかるコンテンツ再生制御システムの構成を示すブロック図である。なお、既に説明した部分と同一の部分には同一の符号を付与し、詳細な説明を省略する。
【０２１２】
実施の形態４にかかるコンテンツ再生制御システムの端末１９１０は、属性管理部１９１２を設けている。属性管理部１９１２は、端末１９１０の利用者に関する情報、つまり利用者の属性を管理するものである。属性管理部１９１２には、利用者がＩＣカードなどから利用者属性を入力する形態であっても良いし、操作部１１８から入力する形態であってもよい。
【０２１３】
利用者属性情報は、利用者の年齢、利用者の端末性能、利用者の端末の周辺環境および利用者の地域情報（住所）等である。また、事業者の管理する利用者情報は、伝送路１１０を介して属性管理部１９１２に設定する形態であってもよい。
【０２１４】
また、サーバ１９００の再生制御情報生成部１９０２は、利用者属性情報による再生制御を記述した再生制御情報を生成する。再生制御情報生成部１９０２は、生成した再生制御情報を通信部１０４、伝送路１２０を介して端末１９１０に送る。
【０２１５】
端末１９１０の再生制御情報処理部１９１１は、再生制御情報生成部１９０２が生成した再生制御情報に基づいて、コンテンツ復号部１１５におけるコンテンツの再生を制御する。
【０２１６】
次に、再生制御情報生成部１９０２が生成する再生制御情報のスキーマについて図２０を用いて説明する。図２０は、実施の形態４にかかる再生制御情報のスキーマ例を示す図である。
【０２１７】
実施の形態４にかかる再生制御情報のスキーマ２０００は、図中２００１に示すように、利用者属性によるコンテンツの再生の制限情報を定義している。また、スキーマ２０００は、図中２００２に示すように、利用者属性による制限情報を指定するように定義している。具体的には、スキーマ２０００は、制限対象の最小年齢２００４と最大年齢２００５と、最小年齢２００４以上の場合と最大年齢２００５以下の場合にどのようにコンテンツを再生するかの制限方法２００３と、を定義している。
【０２１８】
次に、実施の形態４にかかる再生制御情報の具体的な記述について、図２１を用いて説明する。図２１は、実施の形態４のコンテンツ再生制御システムにおける再生制御情報を記述したメタデータの一例を示す図である。なお、既に説明した部分と同一の部分には同一の符号を付与し、詳細な説明を省略する。
【０２１９】
実施の形態４にかかる再生制御情報２１００の、図中２１０１に示される部分には、セグメントに対する制限情報が記述されている。具体的には、制限情報２１０１には、制御対象の最小年齢２１０２と、最小年齢２１０２以上の場合の制限方法（この例では再生可能）２１０３が記述されている。
【０２２０】
なお、図２１に示す再生制御情報２１００では、ひとつのセグメントに関する記述しかないが、複数のセグメントに関する記述をし、かつそれぞれのセグメントに対して異なる制限情報を記述しても良い。
【０２２１】
次に、実施の形態４にかかるコンテンツ再生制御システムのコンテンツ再生処理について、図２２の処理フローを参照して説明する。
【０２２２】
ユーザが操作部１１８よりコンテンツ再生要求を入力すると（Ｓ２２０１）、操作部１１８がコンテンツ復号部１１５にコンテンツの再生要求を送る（Ｓ２２０２）。
【０２２３】
これに対して、コンテンツ復号部１１５は、コンテンツを再生してよいか否かの再生可否に関する情報の要求を再生制御情報処理部１９１１に送る（Ｓ２２０３）。
【０２２４】
これに対して、再生制御情報処理部１９１１は、再生制御情報記録部１１４を参照して、再生制御情報を取得する。
【０２２５】
次に、再生制御情報処理部１９１１は、属性管理部１９１２に対して端末１９１０の利用者の属性、この場合は年齢情報の要求をする（Ｓ２２０４）。そして、これに対して、属性管理部１９１２は、端末１９１０の利用者の年齢情報を再生制御情報処理部１９１１に送る（Ｓ２２０５）。
【０２２６】
次に、再生制御情報処理部１９１１は、再生制御情報を参照して、制御対象年齢に関する情報を取得する。図２１の例では、再生制御情報処理部１９１１は、最小年齢２１０２を取得する。また、再生制御情報処理部１９１１は、再生制御情報を参照し、制限方法に関する情報を取得する。図２１の例では、再生制御情報処理部１９１１は、再生可能の旨が記述された制限方法２１０３を取得する。
【０２２７】
そして、再生制御情報処理部１９１１は、Ｓ２２０５で取得した年齢情報が、再生制御情報に記述された制限対象年齢に該当するか判断し、該当する場合には、再生制御情報に記載された制限方法、この場合、コンテンツが再生可能である旨をコンテンツ復号部１１５に送る（Ｓ２２０６）。
【０２２８】
これに対して、コンテンツ復号部１１５は、再生処理、つまり暗号化コンテンツを復号化し、出力端末１３０に出力する処理をして、処理を終了する（Ｓ２２０７）。
【０２２９】
以上説明したように、実施の形態４によれば、端末１９１０の利用者の属性、この場合は年齢を用いた、コンテンツの再生制御を行うことができる。これにより、例えば、コンテンツに成人向けの映像が含まれる区間がある場合に、その区間にのみ２０歳以上の視聴制限を課すことができる。
【０２３０】
また、再生制御情報に記述された制限対象年齢の利用者から操作部１１８からコンテンツの再生要求を受けた場合に、その操作を受け付けないようにしても良い。また、端末１９１０の利用者が制限対象年齢にある場合は、コンテンツの再生ができない旨がわかるように、操作部１１８の再生ボタンなどの色を変えたり、コンテンツが再生不可であることを表示したりしても良い。
【０２３１】
なお、図２０に示すスキーマ２０００を何所から利用者の属性を取得するか指定するように定義してもよい。具体的には、利用者属性を端末１９１０から取得するか、サーバ１９００から取得するか記述するように定義してもよい。
【０２３２】
また、利用者の属性として年齢を用いて説明したが、これ以外であってもよい。
【０２３３】
なお、実施の形態４では、利用者属性によるコンテンツの再生制御について説明したが、端末属性によりコンテンツの再生制御を行っても良い。
【０２３４】
この形態の場合、属性管理部１９１２は、端末１９１０の属性、例えば、端末１９１０の置かれた地域情報を管理する。
【０２３５】
また、サーバ１９００の再生制御情報生成部１９０２は、端末属性情報による再生制御を記述した再生制御情報を生成する。
【０２３６】
この形態の場合に再生制御情報生成部１９０２が生成する再生制御情報のスキーマについて図２３を用いて説明する。図２３は、実施の形態４にかかる再生制御情報のスキーマのその他の例を示す図である。
【０２３７】
再生制御情報のスキーマ２３００は、図中２３０１に示すように、端末属性によるコンテンツの再生の制限情報を定義している。また、スキーマ２３００は、図中２３０２に示すように、端末属性による制限情報を指定するように定義している。具体的には、スキーマ２３００は、制限対象の端末属性２３０３と、端末属性２３０３の場合にどのようにコンテンツを再生するかの制限方法２３０４と、を定義している。
【０２３８】
次に、この形態にかかる再生制御情報の具体的な記述について、図２４を用いて説明する。図２４は、実施の形態４のコンテンツ再生制御システムにおける再生制御情報を記述したメタデータのその他の例を示す図である。なお、既に説明した部分と同一の部分には同一の符号を付与し、詳細な説明を省略する。
【０２３９】
再生制御情報２４００の、図中２４０１に示される部分には、セグメントに対する再生の制限情報が記述されている。具体的には、制限情報２４０１には、制限対象の端末属性、この場合は地域情報２４０２と、地域情報２４０２の場合の制限方法（この例では再生不可）２４０３が記述されている。
【０２４０】
なお、図２４に示す再生制御情報２４００では、ひとつのセグメントに関する記述しかないが、複数のセグメントに関する記述をし、かつそれぞれのセグメントに対して異なる制御情報を記述しても良い。
【０２４１】
また、この形態のコンテンツ再生制御システムのコンテンツ再生処理は、まず、再生制御情報処理部１９１１が、属性管理部１９１２に対して端末１９１０の属性、この場合は端末１９１０の置かれた地域情報の要求をする。そして、これに対して、属性管理部１９１２は、端末１９１０の地域情報を再生制御情報処理部１９１１に送る。
【０２４２】
次に、再生制御情報処理部１９１１は、再生制御情報を参照して、制限対象地域に関する情報を取得する。図２４の例では、再生制御情報処理部１９１１は、地域情報２４０２を取得する。また、再生制御情報処理部１９１１は、再生制御情報を参照し、制限方法に関する情報を取得する。図２４の例では、再生制御情報処理部１９１１は、再生不可の旨が記述された制限方法２４０３を取得する。
【０２４３】
そして、再生制御情報処理部１９１１は、取得した地域情報が、再生制御情報に記述された制限対象地域に該当するか判断し、該当する場合には、再生制御情報に記載された制限方法、この場合、コンテンツが再生不可である旨をコンテンツ復号部１１５に送る。
【０２４４】
これに対して、コンテンツ復号部１１５は、再生不可処理、つまり暗号化コンテンツの復号化を行わない処理をして、処理を終了する。
【０２４５】
このようにして、端末１９１０の端末の属性、この場合は地域情報を用いた、コンテンツの再生制御を行うことができる。これにより、例えば、スポーツイベントを中継している場合、イベント開催地周辺には再生を禁止することにより、多くの人に実際にイベント観戦に来てもらうように誘導することができる。
【０２４６】
なお、実施の形態２から実施の形態４を組み合わせ、時間、端末の置かれた環境（照度）、端末の利用者の年齢、端末の設置場所を組み合わせた情報による、コンテンツの再生制御を行うようにしても良い。さらに、これに実施の形態１を組み合わせ、上述した条件において特殊再生を規正するようにしてもよい。
【産業上の利用可能性】
【０２４７】
本発明は、放送網やＩＰ網等の伝送路を介して、コンテンツと共に再生制御情報を配信することにより、端末に再生制御情報に基づく再生を遵守させることができるため、放送事業者（再生制御情報製作者）が意図したコンテンツ再生形態をユーザに守らせることができる。本発明は、コンピュータやテレビ、ハードディスクレコーダー等の固定端末のみならず、携帯端末、車載端末など、その適用範囲は広い。
【図面の簡単な説明】
【０２４８】
【図１】本発明の実施の形態１にかかるコンテンツ再生制御システムの構成を示すブロック図
【図２】実施の形態１のコンテンツ再生制御システムにおける暗号化コンテンツに対するライセンス情報と再生制御情報の関係を示すイメージ図
【図３】実施の形態１のコンテンツ再生制御システムにおける暗号化コンテンツに対するライセンス情報と再生制御情報に発行者識別情報を付与した場合の関係を示すイメージ図
【図４】実施の形態１のコンテンツ再生制御システムにおける暗号化コンテンツに対するライセンス情報と再生制御情報に発行者識別情報とＩＤを付与した場合の関係を示すイメージ図
【図５】実施の形態１のコンテンツ再生制御システムにおける再生制御情報のスキーマ例を示す図
【図６】実施の形態１のコンテンツ再生制御システムにおける再生制御情報のメタデータ例を示す第１の図
【図７】実施の形態１のコンテンツ再生制御システムにおける再生制御情報のメタデータ例を示す第２の図
【図８】実施の形態１のコンテンツ再生制御システムにおいて、端末がサーバから暗号化コンテンツ、ライセンス情報、再生制御情報を取得するまでの処理フロー図
【図９】実施の形態１のコンテンツ再生制御システムにおいて、端末がライセンス情報に従って暗号化コンテンツを復号化するまでの処理フロー図
【図１０】実施の形態１のコンテンツ再生制御システムにおいて、図６に示す再生制御情報に基づいた再生を行っている状態で、ＣＭ区間中にスキップ操作が行われた場合の処理フロー図
【図１１】本発明の実施の形態２にかかるコンテンツ再生制御システムの構成を示すブロック図
【図１２】実施の形態２のコンテンツ再生制御システムにおける再生制御情報のスキーマ例を示す図
【図１３】実施の形態２のコンテンツ再生制御システムにおける再生制御情報のメタデータ例を示す図
【図１４】実施の形態２のコンテンツ再生制御システムにおけるコンテンツの再生制御フロー図
【図１５】本発明の実施の形態３にかかるコンテンツ再生制御システムの構成を示すブロック図
【図１６】実施の形態３のコンテンツ再生制御システムにおける再生制御情報のスキーマ例を示す図
【図１７】実施の形態３のコンテンツ再生制御システムにおける再生制御情報のメタデータ例を示す図
【図１８】実施の形態３のコンテンツ再生制御システムにおけるコンテンツの再生制御フロー図
【図１９】本発明の実施の形態４にかかるコンテンツ再生制御システムの構成を示すブロック図
【図２０】実施の形態４のコンテンツ再生制御システムにおける再生制御情報のスキーマ例を示す図
【図２１】実施の形態４のコンテンツ再生制御システムにおける再生制御情報のメタデータ例を示す図
【図２２】実施の形態４のコンテンツ再生制御システムにおけるコンテンツの再生制御フロー図
【図２３】実施の形態４のコンテンツ再生制御システムにおける再生制御情報のスキーマにおけるその他の例を示す図
【図２４】実施の形態４のコンテンツ再生制御システムにおける再生制御情報のメタデータにおけるその他の例を示す図
【符号の説明】
【０２４９】
１００、１１００、１５００、１９００  サーバ
１０１  コンテンツ暗号化部
１０２  ライセンス情報生成部
１０３、１１０２、１５０２、１９０２  再生制御情報生成部
１０４、１１１  通信部
１１０、１１１０、１５１０、１９１０  端末
１１２  コンテンツ記録部
１１３  ライセンス情報記録部
１１４  再生制御情報記録部
１１５  コンテンツ復号部
１１６  ライセンス情報処理部
１１７、１１１１、１５１１、１９１１  再生制御情報処理部
１１８  操作部
１１０１、１１１２  現在時刻管理部
１５１２  照度検出部
１９１２  属性管理部
【図１】
2005160041.tif 000003
【図２】
2005160041.tif 000004
【図３】
2005160041.tif 000005
【図４】
2005160041.tif 000006
【図５】
2005160041.tif 000007
【図６】
2005160041.tif 000008
【図７】
2005160041.tif 000009
【図８】
2005160041.tif 000010
【図９】
2005160041.tif 000011
【図１０】
2005160041.tif 000012
【図１１】
2005160041.tif 000013
【図１２】
2005160041.tif 000014
【図１３】
2005160041.tif 000015
【図１４】
2005160041.tif 000016
【図１５】
2005160041.tif 000017
【図１６】
2005160041.tif 000018
【図１７】
2005160041.tif 000019
【図１８】
2005160041.tif 000020
【図１９】
2005160041.tif 000021
【図２０】
2005160041.tif 000022
【図２１】
2005160041.tif 000023
【図２２】
2005160041.tif 000024
【図２３】
2005160041.tif 000025
【図２４】
2005160041.tif 000026